(57)【要約】【課題】作業性の良さを確保しつつ、より安全性の向上が可能なアース線保護具、これを備えたリレー装置、及び空気調和機を提供する。【解決手段】取り付け時に、取付面１００と対向しつつ該取付面１００と離れた位置に配置される底面２５を有して箱状をなし、前記取付面１００に着脱可能に設けられた箱状部材２１と、底面２５に設けられて電子機器のアース線４ａを接続可能な端子部と、を備え、箱状部材２１にはアース線４ａが通過して端子部から箱状部材２１から離れる方向へ延出可能に、取付面１００との間の隙間Ｓ、又は、孔部が形成されている。【選択図】図２
2018190553.tif 000002
【特許請求の範囲】
【請求項１】
取り付け時に、取付面と対向しつつ該取付面と離れた位置に配置される底面を有して箱状をなし、前記取付面に着脱可能に設けられた箱状部材と、
前記底面に設けられて電子機器のアース線を接続可能な端子部と、
を備え、
前記箱状部材には前記アース線が通過して前記端子部から前記箱状部材から離れる方向へ延出可能に、前記取付面との間の隙間、又は、孔部が形成されているアース線保護具。
【請求項２】
前記箱状部材は、前記底面から立設された側面、及び前記側面に接続されて前記底面に対向する天面をさらに有して直方体又は立方体形状をなし、前記底面における縁部を形成する四辺のうちの互いに対向する二辺のみから突出し、前記取付面に着脱可能に固定される取付片をさらに有し、
前記隙間が、前記対向する二辺以外の二辺と前記取付面との間に形成される請求項１に記載のアース線保護具。
【請求項３】
前記取付片は、
前記側面を延長するようにして形成された突出板部と、
前記突出板部の先端縁から屈曲して前記底面に沿って延びて、前記取付面に固定可能なフランジ部と、
を備える請求項２に記載のアース線保護具。
【請求項４】
請求項１から３のいずれか一項に記載のアース線保護具と、
前記箱状部材の内部に収容されて前記電子機器に接続されるリレー本体と、
を備えるリレー装置。
【請求項５】
前記アース線は、前記電子機器としての空気調和機の冷房運転と暖房運転とを切換える分流コントローラに設けられ、
前記リレー本体は、前記分流コントローラと、前記空気調和機の室内機との間に設けられている請求項４に記載のリレー装置。
【請求項６】
室内機と、
前記室内機に接続された室外機と、
前記室内機と前記室外機との間に配置され、冷房運転と暖房運転とを切換える分流コントローラと、
前記室内機からの電気信号を前記分流コントローラへ伝達する請求項５に記載のリレー装置と、
を備える空気調和機。
【発明の詳細な説明】
【技術分野】
【０００１】
本発明は、アース線を保護するアース線保護具、これを備えたリレー装置、及び空気調和機に関する。
【背景技術】
【０００２】
従来から、室内の冷暖房を行う空気調和機が知られている。このような空気調和機には、空気調和機の冷暖房を切換える制御を行う分流コントローラ（例えば特許文献１）と、室内機との間に、リレー装置（継電器）が設けられている。ここで、分流コントローラは、一台の室外機に複数台の室内機を接続したマルチエアコン等に用いられ、各々の室内機での冷暖房を個別に切換える装置である。
【０００３】
ところで、上述した空気調和機の分流コントローラにはアース線が設けられている。一般にアース線は、例えば特許文献２に開示されたようにリレー装置に設けられたアース端子等に接続されるようになっている。
ここで空気調和機の分流コントローラにおいては、アース端子へのアース線への接続作業は、空気調和機を設置する現地での作業となる。
【先行技術文献】
【特許文献】
【０００４】
【特許文献１】特許第５８３２６３６号公報
【特許文献２】特開２０１２−１０９１３３号公報
【発明の概要】
【発明が解決しようとする課題】
【０００５】
しかしながら、従来ではアース端子は、その作業性を考慮して容易にアクセス可能な位置に設けられており、空気調和機の据付後にも手が触れられる場所にアース端子が設けられ、アース線との接続部分が外部に露出していることが多かった。
アース端子はそれほど大きくなく、外部に露出していても大きな問題とはなっていなかったが、現状ではさらなる安全性向上の要請がある。完全にアース端子を覆ってしまうという手法も採り得るが、この場合、アース線の結線作業の作業性が低下してしまうという問題がある。
【０００６】
そこで本発明は、作業性の良さを確保しつつ、より安全性の向上が可能なアース線保護具、これを備えたリレー装置、及び空気調和機を提供する。
【課題を解決するための手段】
【０００７】
本発明の一の態様に係るアース線保護具は、取り付け時に、取付面と対向しつつ該取付面と離れた位置に配置される底面を有して箱状をなし、前記取付面に着脱可能に設けられた箱状部材と、前記底面に設けられて電子機器のアース線を接続可能な端子部と、を備え、前記箱状部材には前記アース線が通過して前記端子部から前記箱状部材から離れる方向へ延出可能に、前記取付面との間の隙間、又は、孔部が形成されている。
【０００８】
このようなアース線保護具によれば、取付面へ箱状部材を取り付けた際にはアース端子が設けられた箱状部材の底面が取付面と対向して配置されるので、端子部が外部に露出することなく箱状部材によって覆われる。よって、アース線を端子部に接続した後に、取付面に箱状部材を取り付けた後には、箱状部材を取付面から取り外さない限り、端子部に手が触れてしまうことがない。さらに、アース線及び端子部が露出しないことで外観の美観も向上できる。
また、取付面から箱状部材を外し、作業者が底面にアクセスすることで、容易にアース線を端子部から取り外すことができる。
さらに、箱状部材の内部には様々な機器を収容可能である。よって、例えば電子機器に接続されるリレー等の機器を収容することで、リレーの取付面への取り付け時に、ともに電子機器のアース線の結線ができる。よってアース線結線の作業性の向上を図ることができる。
そして、箱状部材には取付面との間に隙間、又は、孔部が設けられているので、アース線が端子部に結線された状態で取付面に箱状部材が取り付けられる場合に、アース線の厚みによって、箱状部材の取り付けに支障が生じることもない。
【０００９】
また上記のアース線保護具では、前記箱状部材は、前記底面から立設された側面、及び前記側面に接続されて前記底面に対向する天面をさらに有して直方体又は立方体形状をなし、前記底面における縁部を形成する四辺のうちの互いに対向する二辺のみから突出し、前記取付面に着脱可能に固定される取付片をさらに有し、前記隙間が、前記対向する二辺以外の二辺と前記取付面との間に形成されていてもよい。
【００１０】
このように取付片を設けることで、箱状部材と取付面との間に隙間を容易に設けることができる。よってアース線が端子部に結線された状態で、箱状部材から離れるようにアース線が延出するように、アース線を配置することができる。
【００１１】
また上記のアース線保護具では、前記取付片は、前記側面を延長するようにして形成された突出板部と、前記突出板部の先端縁から屈曲して前記底面に沿って延びて、前記取付面に固定可能なフランジ部と、を備えていてもよい。
【００１２】
このようなフランジ部によって、容易に箱状部材を取付面に固定することができる。
【００１３】
また本発明の一の態様に係るリレー装置は、上記のアース線保護具と、前記箱状部材の内部に収容されて前記電子機器に接続されるリレー本体と、を備えている。
【００１４】
このようなリレー装置によれば、上記のアース線保護具を備えていることで、取付面へ箱状部材を取り付けた際には、端子部が外部に露出することなく箱状部材によって覆われる。よって、端子部に手が触れてしまうことがなく、アース端子が露出しないことで外観の美観も向上できる。また、取付面から箱状部材を取り外すことで、容易にアース線を端子部から取り外すことができる。さらに、箱状部材の内部にリレー本体が収容されていることで、リレーの取付面への取り付け時に、ともに電子機器のアース線の結線ができる。よってアース線結線の作業性の向上を図ることができる。そして、箱状部材には取付面との間に隙間、又は、孔部が設けられているので、取付面に箱状部材が取り付けられる場合に、アース線の厚みによって箱状部材の取り付けに支障が生じることもない。
【００１５】
また、上記のリレー装置では、前記アース線は、前記電子機器としての空気調和機の冷房運転と暖房運転とを切換える分流コントローラに設けられ、前記リレー本体は、前記分流コントローラと、前記空気調和機の室内機との間に設けられていてもよい。
【００１６】
分流コントローラと室内機との間にリレー本体を現地で結線する際に、あわせて分流コントローラのアース線の結線を行うことができる。よって作業性の向上が可能であるとともに、箱状部材の取付面への取り付け時にはアース線保護具によって、端子部に手が触れてしまうことがない。さらに、アース線及び端子部が露出しないことで外観の美観も向上できる。
【００１７】
また、本発明の一の態様に係る空気調和機は、室内機と、前記室内機に接続された室外機と、前記室内機と前記室外機との間に配置され、冷房運転と暖房運転とを切換える分流コントローラと、前記室内機からの電気信号を前記分流コントローラへ伝達する請求項１から５のいずれか一項に記載のリレー装置と、を備えている。
【００１８】
このような空気調和機によれば、上記のリレー装置を備えることで、分流コントローラと室内機との間にリレー本体を現地で結線する際に、あわせて分流コントローラのアース線の結線を行うことができる。よって作業性の向上が可能であるとともに、箱状部材の取付面への取り付け時にはアース線保護具によって、端子部に手が触れてしまうことがない。さらに、アース線及び端子部が露出しないことで外観の美観も向上できる。
【発明の効果】
【００１９】
上記のアース線保護具、リレー装置、及び空気調和機によれば、上記の構成によって作業性の良さを確保しつつ、より安全性の向上が可能である。
【図面の簡単な説明】
【００２０】
【図１】本発明の実施形態の空気調和機のシステムの全体構成図である。
【図２】本発明の実施形態の空気調和機におけるアース線保護具を示す斜視図である。
【図３】本発明の実施形態の空気調和機におけるアース線保護具を底面側から見た平面図であって、図２のＡ矢視図である。
【発明を実施するための形態】
【００２１】
以下、本発明の実施形態に係る空気調和機１について説明する。
図１に示すように空気調和機１は、室内機２と、室内機２に接続された室外機３と、室内機２と室外機３との間に配置されて冷房運転と暖房運転の切換えを行う分流コントローラ（電子機器）４と、分流コントローラ４に室内機２からの電気信号を伝達するリレー装置５とを備えている。
【００２２】
室内機２は、例えば建物の室内に配置されて、室内の空気を取り込んで、冷房運転時には冷却した空気を、暖房運転時には加熱した空気を室内へ吐き出すことで室内の空気調和を行う。図示は省略するが、室内機２にはファン、熱交換器等が収容されている。
【００２３】
室外機３は、例えば建物外に配置される。室外機３には不図示のコンプレッサ、ファン、及び熱交換器等が収容され、室内機２との間で、冷媒管７を介して冷媒を循環させる熱源機である。
【００２４】
分流コントローラ４は、不図示の四方弁等の各種の電磁弁装置が収容され、電磁弁装置によって冷媒管７での冷媒の流通経路を切り換えることで空気調和機１の冷房運転と暖房運転とを切り換え可能となっている。分流コントローラ４では、室内機２からの冷暖房切換えの電気信号がリレー装置５を介して入力されることで電磁弁装置が動作し、冷暖房が切り換えられる。そして分流コントローラ４からはアース線４ａが延びている。
ここで、本実施形態では一例として、一台の室外機３に複数台の室内機２が併設されて、各々の室内機２に一台ずつ分流コントローラ４が接続されている。そして分流コントローラは各々の室内機２の冷房運転と暖房運転とを個別に切り換えるようになっている。
【００２５】
次にリレー装置５について説明する。
リレー装置５は、各室内機２とこれに対応する分流コントローラ４との間で、室内機２と分流コントローラ４とに接続されている。リレー装置５は、リレー本体１０と、リレー本体１０を収容するアース線保護具１１とを備えている。
【００２６】
リレー本体１０は、室内機２と、分流コントローラ４の各種の電磁弁装置とに電線１３によって電気的に接続されている。リレー本体１０は、例えば室内機２の操作部からの冷暖房切換えの電気信号を受け、冷房運転と暖房運転とを空気調和機１毎に個別に切り換えるように、各分流コントローラ４へ電気信号を送る。
【００２７】
図２に示すように、アース線保護具１１は、リレー本体１０を収容する箱状部材２１と、箱状部材２１に設けられて、分流コントローラ４のアース線４ａが接続される端子部２２とを備えている。アース線保護具１１は例えば室内の壁面や床面等の取付面１００に設置される。
【００２８】
箱状部材２１は、アース線保護具１１が取付面１００に取り付けられた状態で取付面１００に対向する底面２５と、底面２５から立設された四つの側面２６と、側面２６に接続されて底面２５に対向する天面２７とを有した直方体又は立方体形状をなしている。さらに箱状部材２１は、側面２６から取付面１００に向かって突出する取付片２８を有している。
【００２９】
底面２５、側面２６、及び天面２７に囲まれた空間に上記のリレー本体１０が収容されている。図３に示すように、底面２５には端子部２２が設けられている。端子部２２は例えばネジＢ等によってアース線４ａを底面２５に固定可能となっている。
【００３０】
取付片２８は、底面２５における縁部を形成する四辺のうちの互いに対向する二辺２５ａのみから突出した一対の突出板部３１と、一対の突出板部３１の各々の先端縁３１ａから屈曲して底面２５に沿って互いに離間する方向に延びるフランジ部３２とを備えている。
【００３１】
各々の突出板部３１は、上記縁部のうちの二辺２５ａから立設された側面２６を、これら側面２６とは反対側に延長するようにして板状に形成されている。
【００３２】
フランジ部３２は、アース線保護具１１が取付面１００に取り付けられた際に、取付面１００に接触して取付面１００に着脱可能に固定される。具体的には取付面１００に対しては、例えばネジＢ１等でフランジ部３２が固定されるようになっている。そしてフランジ部３２が取付面１００に固定された状態では、取付片２８が設けられていない底面２５の二辺２５ｂと取付面１００との間には、突出板部３１の幅と同じ寸法の隙間Ｓが形成される。この隙間Ｓはアース線４ａの直径よりも大きく、人の指が挿入できない程度の寸法となっているとよい。
【００３３】
以上説明した本実施形態の空気調和機１は、上記のアース線保護具１１を備えている。従って、取付面１００へ箱状部材２１を取り付けた際には端子部２２が設けられた箱状部材２１の底面２５が取付面１００と対向して配置されるので、端子部２２が外部に露出することなく箱状部材２１によって覆われる。
【００３４】
よって、アース線４ａを端子部２２に結線して取付面１００に箱状部材２１を取り付けた後には、箱状部材２１を取付面１００から取り外さない限り、端子部２２に手が触れてしまうことがない。さらに、取付面１００に箱状部材２１を取り付けた後にはアース線４ａ及び端子部２２が外部に露出しないため、外観の美観も向上できる。
【００３５】
また、取付面１００から箱状部材２１を外し、作業者が底面２５にアクセスすることで、ネジＢを緩めて容易にアース線４ａを端子部２２から取り外すことができる。さらに、箱状部材２１の内部にリレー本体１０が収容されていることで、リレー装置５の取付面１００への取り付け時に分流コントローラ４のアース線４ａのリレー装置５への結線ができる。よってアース線４ａ結線の作業性の向上を図ることができる。
【００３６】
そして、箱状部材２１には取付面１００との間に隙間Ｓが設けられているので、取付面１００に箱状部材２１が取り付けられる場合に、アース線４ａの厚みによって箱状部材２１の取付面１００への取り付けに支障が生じることもない。よって本実施形態のアース線保護具１１を用いることで、作業性の良さを確保しつつ、より安全性の向上が可能である。
【００３７】
特に本実施形態では取付片２８を設けることで、箱状部材２１と取付面１００との間に隙間Ｓを容易に設けることができる。よってアース線４ａが端子部２２に結線された状態で、容易にアース線４ａを箱状部材２１から離れる方向に延出させるようにできる。
【００３８】
またリレー本体１０は箱状部材２１に収容されており、端子部２２は、箱状部材２１の外部に露出する底面２５に設けられているため、アース線４ａを端子部２２に結線する際に箱状部材２１の内部を開放する必要がない。よってアース線４ａの結線作業時に箱状部材２１の内部に埃等の異物が混入してしまうことを回避できる。
【００３９】
以上、本発明の実施形態について図面を参照して詳述したが、各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、特許請求の範囲によってのみ限定される。
例えば、箱状部材２１には、リレー本体１０に限定することなく様々な機器を収容可能である。
【００４０】
また、取付片２８の形状や配置は上述の場合に限られない。例えば取付片２８は一つのみ設けられていてもよいし、底面２５の縁部の四辺すべてに設けられていてもよい。この場合、例えば取付片２８の突出板部３１に孔部を形成することで、端子部２２のアース線４ａを結線した状態で、アース線４ａが箱状部材２１から離れる方向に延出可能となる。
【００４１】
さらに、箱状部材２１は上記のように直方体形状や立方体形状をなしていなくともよく、少なくとも内部にリレー本体１０等の機器を収容可能な形状をなしていればよい。
【符号の説明】
【００４２】
１…空気調和機
２…室内機
３…室外機
４…分流コントローラ（電子機器）
４ａ…アース線
５…リレー装置
７…冷媒管
１０…リレー本体
１１…アース線保護具
１３…電線
２１…箱状部材
２２…端子部
２５…底面
２５ａ、２５ｂ…二辺
２６…側面
２７…天面
２８…取付片
３１…突出板部
３１ａ…先端縁
３２…フランジ部
Ｓ…隙間
Ｂ、Ｂ１…ネジ
１００…取付面
【図１】
2018190553.tif 000003
【図２】
2018190553.tif 000004
【図３】
2018190553.tif 000005